(57)【要約】【課題】ねじり共振をずらして振動・騒音の低減を図り、一方でロータの空転を防止した誘導電動機を提供することにある。【解決手段】ロ−タ１は、鋼板２を積層して形成し、スロット内・エンドリングにアルミニウムまたはアルミニウム合金を鋳込んで成形した導体３と、ロ−タ１の中心部に形成したシャフト取り付け孔４に圧入して固着したシャフト５と、ロ−タ１の両側においてシャフト５を回転自在に軸支した軸受け６および軸受け７とを有し、シャフト５は、ロ−タ１とシャフト５の出力側の軸受け６との間に位置する部分５ａを、部分的に細くしたもので、ファン８とロ−タ１とのねじり共振周波数をずらし振動・騒音の低減を図り、またロータ１に対するシャフト５の圧入面積を確保し、長期の使用におけるロータ１の空転を防止する。【選択図】  図１
2005012964.tif 000002
【特許請求の範囲】
【請求項１】
鋼板を積層して形成したロ−タと、前記ロ−タの中心部のシャフト取り付け孔に圧入したシャフトと、前記ロ−タの両側において前記シャフトを支持する軸受けとを有する誘導電動機であって、前記シャフトは前記ロ−タと前記シャフトの出力側の軸受けとの間を部分的に細くしたことを特徴とする誘導電動機。
【請求項２】
鋼板を積層して形成したロ−タと、前記ロ−タの中心部のシャフト取り付け孔に圧入したシャフトと、前記ロ−タの両側において前記シャフトを支持する軸受けとを有する誘導電動機であって、前記ロ−タは少なくとも一つの貫通孔を有することを特徴とする誘導電動機。
【発明の詳細な説明】
【０００１】
【発明の属する技術分野】
本発明は、空気調和機等に使用する誘導電動機に関し、特にロータに係るものである。
【０００２】
【従来の技術】
近年、誘導電動機はエアコン、洗濯機などの家電製品や工作機械、設備機械などに幅広く使われており、特に家電製品に使用される比較的に小形の誘導電動機においては、より低騒音化への要求が求められてきている。そこで、従来の誘導電動機ではロ−タのシャフトの両側に位置するロータ表面部分に前記シャフトの外周に位置する穴を設けて、ロ−タとシャフトの合体と製品本体との共振をずらし、騒音・振動の低減を図っている（例えば、特許文献１参照）。図４は特許文献１に記載された誘導電動機のロータを示すものである。
【０００３】
図４に示すように誘導電動機のロ−タ４１は、鋼板４２を積層して形成し、このロータ４１のスロット内・エンドリングにアルミニウムまたは、アルミニウム合金を鋳込んで成形した導体４３の中心部の透孔４４にシャフト４５を圧入固着させている。そして、ロータ４１は、シャフト４５の貫通した両側のロータ表面に臨む透孔４４の内径をシャフト４５の外径より大きくした透孔４４ａに形成し、ロ−タとシャフトの合体と製品本体との共振をずらし、騒音・振動の低減をはかっていた。
【０００４】
しかしながら、上記従来の構成ではシャフト４５の貫通した両側のロータ表面に臨む透孔４４の内径をシャフト４５の外径より大きくした透孔４４ａに形成することで、ロ−タ４１とシャフト４５との圧入面積が少なくなるため、高出力の誘導電動機ではロ−タ４１とシャフト４５の回転強度が弱くなり、長期使用の際には最悪の場合、ロータが空転するという問題点を有していた。
【０００５】
【特許文献１】
特開平５−１８４１１１号公報
【０００６】
【発明が解決しようとする課題】
上記従来の技術の問題点に鑑み、本発明が解決しようとする課題は、ねじり共振をずらして振動・騒音の低減を図り、一方でロータの空転を防止した誘導電動機を提供することにある。
【０００７】
【課題を解決するための手段】
上記課題を解決するために本発明の第１の構成に係る誘導電動機は、鋼板を積層して形成したロ−タと、前記ロ−タの中心部のシャフト取り付け孔に圧入したシャフトと、前記ロ−タの両側において前記シャフトを支持する軸受けとを有し、前記シャフトは前記ロ−タと前記シャフトの出力側の軸受けとの間を部分的に細くしたものである。従って、シャフトの出力側に取り付けた負荷、例えばファンとロ−タとのねじり共振周波数をずらし振動・騒音を低減できるとともに、ロータに対するシャフトの圧入面積を確保してロータの空転を防止できる。
【０００８】
また、本発明の第２の構成に係る誘導電動機は、鋼板を積層して形成したロ−タと、前記ロ−タの中心部のシャフト取り付け孔に圧入したシャフトと、前記ロ−タの両側において前記シャフトを支持する軸受けとを有し、前記ロ−タは少なくとも一つの貫通孔を有するものである。従って、ロ−タの重量を軽量化し、シャフトの出力側に取り付けた負荷、例えばファンとロ−タとのねじり共振をずらし振動・騒音を低減できるとともに、ロータに対するシャフトの圧入面積を確保してロータの空転を防止できる。
【０００９】
【発明の実施の形態】
本発明の目的は各請求項に記載した構成を実施の形態の要部とすることにより達成できるので、以下には請求項１および２に対応する一実施例についての詳細を、図１〜図３に基いて説明し本発明の実施の形態についての説明とする。
【００１０】
（実施の形態１）
図１は本発明の実施の形態１における誘導電動機のロ−タの構造を示した断面図である。回転磁界を発生する固定子と前記回転磁界により回転する回転子を有する本発明の誘導電動機を、空気調和機の室外機における室外送風機に使用するモータを例にして説明する。ロ−タ１は、鋼板２を積層して形成し、スロット内・エンドリングにアルミニウムまたはアルミニウム合金を鋳込んで成形した導体３と、ロ−タ１の中心部に形成したシャフト取り付け孔４に圧入して固着したシャフト５と、ロ−タ１の両側においてシャフト５を回転自在にベアリングで軸支した軸受け６および軸受け７とを有する。
【００１１】
そして、ロ−タ１のシャフト５は、ロ−タ１とシャフト５の出力側の軸受け６との間に位置する部分５ａを、φ７、長さ１０ｍｍと部分的に細くしたもので、シャフト５の出力側に取り付けた負荷としてのファン８とロ−タ１とのねじり共振周波数をずらし振動・騒音の低減を図りつつ、ロータ１に対するシャフト５の圧入面積を充分に確保して、長期の使用におけるロータ１とシャフト５の相対的な空転を防止している。
【００１２】
上記実施の形態において、回転するロータ１はシャフト５の出力側の軸受け６とロータ１の間に位置する部分５ａを部分的に細くしたので、シャフト５の出力側に取り付けたファン８とロ−タ１とのねじり共振周波数をずらし振動・騒音を低減できる。そして、シャフト５はロータ１に対する圧入面積を、従来例のように少なくするような加工を施すことなく充分に確保し、ロータ１の空転を防止できる。
【００１３】
（実施の形態２）
図２は、本発明の実施の形態２における誘導電動機のロ−タの構造を示した断面図で、図３は同ロ−タの正面図である。回転磁界を発生する固定子と前記回転磁界により回転する回転子を有する本発明の誘導電動機を、空気調和機の室外機における室外送風機に使用するモータを例にして説明する。ロ−タ２１は、鋼板２２を積層して形成し、スロット内・エンドリングにアルミニウムまたはアルミニウム合金を鋳込んで成形した導体２３と、ロ−タ２１の中心部に形成したシャフト取り付け孔２４に圧入して固着したシャフト２５と、ロ−タ２１の両側においてシャフト２５を回転自在にベアリングで軸支した軸受け２６および軸受け２７とを有する。
【００１４】
そして、ロ−タ２１は、シャフト２５を中心にして導体２３より内側において等間隔に、φ５の貫通孔２９を８個設け、ロ−タ２１の重量の軽量化を図ったもので、シャフト２５の出力側に取り付けた負荷としてのファン２８とロ−タ２１とのねじり共振周波数をずらし振動・騒音の低減を図りつつ、ロータ２１に対するシャフト５の圧入面積を充分に確保して、長期の使用におけるロータ１とシャフト５の相対的な空転を防止している。
【００１５】
上記実施の形態において、回転するロータ２１はシャフト２５を中心にして貫通孔２９を８個設け、ロ−タ２１の重量の軽量化を図っているので、シャフト５の出力側に取り付けたファン２８とロ−タ２１とのねじり共振周波数をずらし振動・騒音を低減できる。そして、シャフト５はロータ１に対する圧入面積を、従来例のように少なくするような加工を施すことなく充分に確保し、ロータ１の空転を防止できる。
【００１６】
なお、上記実施の形態では貫通孔２９を８個設けたが、少なくとも一つがあれば本実施の形態と同様の作用効果を期待できるものである。
【００１７】
【発明の効果】
以上のように、本発明の第１の構成に係る誘導電動機は、ロ−タと出力軸側の軸受けとの間のシャフトを部分的に細くすることで、シャフトに取り付けた負荷とロ−タとのねじり共振周波数をずらし振動・騒音を低減できるとともに、ロータに対するシャフトの圧入面積を確保して空転を防止することができる。
【００１８】
また、本発明の第２の構成に係る誘導電動機は、ロ−タにシャフトの外周に位置して少なくと一つの貫通孔を設けてロ−タの軽量化を図ったので、シャフトに取り付けた負荷とロ−タとのねじり共振周波数をずらし振動・騒音を低減できるとともに、ロータに対するシャフトの圧入面積を確保して空転を防止することができる。
【図面の簡単な説明】
【図１】本発明の実施の形態１における誘導電動機のロ−タの断面図
【図２】本発明の実施の形態２における誘導電動機のロ−タの断面図
【図３】同実施の形態２における誘導電動機のロ−タの正面図
【図４】従来の誘導電動機のロ−タの断面図
【符号の説明】
１、２１  ロータ
２、２２  鋼板
３、２３  導体
４、２４  シャフト取り付け孔
５、２５  シャフト
５ａ  細くした部分
２９  貫通孔
【図１】
2005012964.tif 000003
【図２】
2005012964.tif 000004
【図３】
2005012964.tif 000005
【図４】
2005012964.tif 000006